(57)【要約】【課題】バスラインに情報を表す情報信号と電力とが重畳される上記電源バスシステムにおいて、各システムの同期タイミングに影響を与えずに複数のシステムを相互に接続することが可能な電力供給装置を提供すること。【解決手段】情報を表す情報信号と電力とが重畳されるバスラインに接続され、該バスラインを流れる電力の供給を受けて電力を貯蔵する電力貯蔵部と、バスラインからの情報信号の他の装置への流出を遮断する信号遮断部と、電力貯蔵部の電力量を検出する電力量検出部と、電力量検出部の検出結果に応じて、電力貯蔵部から電力を供給するサーバモードと、電力を前記バスラインから受電するクライアントモードとを切り替える切り替え制御部と、を含む、電力供給装置が提供される。【選択図】図１
2010263680.tif 000002
【特許請求の範囲】
【請求項１】
情報を表す情報信号と電力とが重畳されるバスラインに接続され、
前記バスラインを流れる電力の供給を受けて電力を貯蔵する電力貯蔵部と、
前記バスラインからの情報信号の、他の装置への流出を遮断する信号遮断部と、
前記電力貯蔵部の電力量を検出する電力量検出部と、
前記電力量検出部の検出結果に応じて、前記電力貯蔵部から電力を供給するサーバモードと、電力を前記バスラインから受電するクライアントモードとを切り替える切り替え制御部と、
を含む、電力供給装置。
【請求項２】
同一のアドレスを用いることで前記サーバモードと前記クライアントモードとを切り替える、請求項１に記載の電力供給装置。
【請求項３】
異なるアドレスを用いることで前記サーバモードと前記クライアントモードとを切り替える、請求項１に記載の電力供給装置。
【請求項４】
前記切り替え制御部は、前記バスラインへの接続時に、前記サーバモードで使用するアドレス及び前記クライアントモードで使用するアドレスの登録を要求する情報信号を前記バスラインに送出する、請求項３に記載の電力供給装置。
【請求項５】
前記切り替え制御部は、前記サーバモードから前記クライアントモードへ切り替える場合に、前記サーバモードで用いるアドレスの登録を抹消する情報信号を前記バスラインに送出する、請求項３に記載の電力供給装置。
【請求項６】
情報を表す情報信号と電力とが重畳されるバスラインに接続され、
前記バスラインを流れる電力の供給を受けて電力を貯蔵し、他の装置と電力を共有して使用する電力貯蔵部の電力量を検出する電力量検出部と、
前記バスラインからの情報信号の前記他の装置への流出を遮断する信号遮断部と、
前記電力量検出部の検出結果に応じて、前記電力貯蔵部から電力を供給するサーバモードと、電力を前記バスラインから受電するクライアントモードとを切り替える切り替え制御部と、
を含む、電力供給装置。
【請求項７】
同一のアドレスを用いることで前記サーバモードと前記クライアントモードとを切り替える、請求項６に記載の電力供給装置。
【請求項８】
異なるアドレスを用いることで前記サーバモードと前記クライアントモードとを切り替える、請求項６に記載の電力供給装置。
【請求項９】
前記切り替え制御部は、前記バスラインへの接続時に、前記サーバモードで使用するアドレス及び前記クライアントモードで使用するアドレスの登録を要求する情報信号を前記バスラインに送出する、請求項８に記載の電力供給装置。
【請求項１０】
前記切り替え制御部は、前記サーバモードから前記クライアントモードへ切り替える場合に、前記サーバモードで用いるアドレスの登録を抹消する情報信号を前記バスラインに送出する、請求項８に記載の電力供給装置。
【請求項１１】
情報を表す情報信号と電力とが重畳されるバスラインに接続され、該バスラインを流れる電力の供給を受けて電力を貯蔵する電力貯蔵部の電力量を検出する電力量検出ステップと、
前記電力量検出ステップの検出結果に応じて、前記電力貯蔵部から電力を供給するサーバモードと、電力を前記バスラインから受電するクライアントモードとを切り替える切り替えステップと、
を含む、電力供給方法。
【請求項１２】
情報を表す情報信号と電力とが重畳されるバスラインに接続され、該バスラインを流れる電力の供給を受けて電力を貯蔵し、他の装置と電力を共有して使用する電力貯蔵部の電力量を検出する電力量検出ステップと、
前記電力量検出ステップの検出結果に応じて、前記電力貯蔵部から電力を供給するサーバモードと、電力を前記バスラインから受電するクライアントモードとを切り替える切り替え制御ステップと、
を含む、電力供給方法。
【発明の詳細な説明】
【技術分野】
【０００１】
本発明は、電力供給装置および電力供給方法に関する。
【背景技術】
【０００２】
パーソナルコンピュータやゲーム機のような電子機器の多くは、機器の動作やバッテリの充電のために、商用電源より交流（ＡＣ）の電力を入力して機器に合わせた電力を出力するＡＣアダプタが用いられている。通常、電子機器では直流（ＤＣ）によって動作するが、電圧や電流はそれぞれの機器で異なる。従って、機器に合わせた電力を出力するＡＣアダプタの規格も、機器毎に異なることになり、同じような形状を有するＡＣアダプタであっても互換性を有しないことになる、機器の増加に伴ってＡＣアダプタの数も増加してしまう問題があった。
【０００３】
このような問題に対して、バッテリやＡＣアダプタ等の機器に電力を供給する電源供給ブロックと、当該電源供給ブロックから電力が供給される電源消費ブロックとを、直流の１つの共通バスラインに接続した電源バスシステムが提案されている（例えば特許文献１、特許文献２）。かかる電源バスシステムにおいては直流の電流がバスラインを流れている。また、かかる電源バスシステムにおいては、各ブロックは自らがオブジェクトとして記述されており、各ブロックのオブジェクトがバスラインを介して相互に情報（状態データ）の送受信を行っている。また各ブロックのオブジェクトは、他のブロックのオブジェクトからの要求に基づいて情報（状態データ）を生成し、回答データとして送信している。そして、回答データを受信したブロックのオブジェクトは、受信した回答データの内容に基づいて電力の供給や消費を制御することができる。
【先行技術文献】
【特許文献】
【０００４】
【特許文献１】特開２００１−３０６１９１号公報
【特許文献２】特開２００８−１２３０５１号公報
【発明の概要】
【発明が解決しようとする課題】
【０００５】
上述の電源バスシステムにおいては、１つのバスライン上にはそのシステム固有のタイミングで電力の出力が行われている。従って、電源バスシステムが複数存在している場合に、異なる電源バスシステムをいきなり接続することは出来ないという問題があった。その一方で、複数の電源バスシステムをデイジーチェーン状に接続して、電源バスシステム間で電力を融通することが出来れば、それぞれの電源バスシステムにおける電力供給のサービスレベルを著しく向上させることが可能となる。例えば、一つの電源バスシステムでは電力に余裕が無いが、他の電源バスシステムでは電力に余裕がある場合に、電源バスシステム同士を接続することで、当該他の電源バスシステムから余裕電力の供給を受けることができる。現在使用されている商用電力供給網では同様の事が既に実現されており、一つの電力供給網で電力不足が懸念される場合には、隣接する電力供給網から電力の供給を受けている。
【０００６】
そこで、本発明は、上記問題に鑑みてなされたものであり、本発明の目的とするところは、バスラインに情報を表す情報信号と電力とが重畳される上記電源バスシステムにおいて、各システムの同期タイミングに影響を与えずに複数のシステムを相互に接続することが可能な、新規かつ改良された電力供給装置および電力供給方法を提供することにある。
【課題を解決するための手段】
【０００７】
上記課題を解決するために、本発明のある観点によれば、情報を表す情報信号と電力とが重畳されるバスラインに接続され、前記バスラインを流れる電力の供給を受けて電力を貯蔵する電力貯蔵部と、前記バスラインからの情報信号の、他の装置への流出を遮断する信号遮断部と、前記電力貯蔵部の電力量を検出する電力量検出部と、前記電力量検出部の検出結果に応じて、前記電力貯蔵部から電力を供給するサーバモードと、電力を前記バスラインから受電するクライアントモードとを切り替える切り替え制御部と、を含む、電力供給装置が提供される。
【０００８】
上記電力供給装置は、同一のアドレスを用いることで前記サーバモードと前記クライアントモードとを切り替えるようにしてもよい。
【０００９】
上記電力供給装置は、異なるアドレスを用いることで前記サーバモードと前記クライアントモードとを切り替えるようにしてもよい。
【００１０】
前記切り替え制御部は、前記バスラインへの接続時に、前記サーバモードで使用するアドレス及び前記クライアントモードで使用するアドレスの登録を要求する情報信号を前記バスラインに送出するようにしてもよい。
【００１１】
前記切り替え制御部は、前記サーバモードから前記クライアントモードへ切り替える場合に、前記サーバモードで用いるアドレスの登録を抹消する情報信号を前記バスラインに送出するようにしてもよい。
【００１２】
また、上記課題を解決するために、本発明の別の観点によれば、情報を表す情報信号と電力とが重畳されるバスラインに接続され、前記バスラインを流れる電力の供給を受けて電力を貯蔵し、他の装置と電力を共有して使用する電力貯蔵部の電力量を検出する電力量検出部と、前記バスラインからの情報信号の前記他の装置への流出を遮断する信号遮断部と、前記電力量検出部の検出結果に応じて、前記電力貯蔵部から電力を供給するサーバモードと、電力を前記バスラインから受電するクライアントモードとを切り替える切り替え制御部と、を含む、電力供給装置が提供される。
【００１３】
上記電力供給装置は、同一のアドレスを用いることで前記サーバモードと前記クライアントモードとを切り替えるようにしてもよい。
【００１４】
上記電力供給装置は、異なるアドレスを用いることで前記サーバモードと前記クライアントモードとを切り替えるようにしてもよい。
【００１５】
前記切り替え制御部は、前記バスラインへの接続時に、前記サーバモードで使用するアドレス及び前記クライアントモードで使用するアドレスの登録を要求する情報信号を前記バスラインに送出するようにしてもよい。
【００１６】
前記切り替え制御部は、前記サーバモードから前記クライアントモードへ切り替える場合に、前記サーバモードで用いるアドレスの登録を抹消する情報信号を前記バスラインに送出するようにしてもよい。
【００１７】
また、上記課題を解決するために、本発明の別の観点によれば、情報を表す情報信号と電力とが重畳されるバスラインに接続され、該バスラインを流れる電力の供給を受けて電力を貯蔵する電力貯蔵部の電力量を検出する電力量検出ステップと、前記電力量検出ステップの検出結果に応じて、前記電力貯蔵部から電力を供給するサーバモードと、電力を前記バスラインから受電するクライアントモードとを切り替える切り替えステップと、を含む、電力供給方法が提供される。
【００１８】
また、上記課題を解決するために、本発明の別の観点によれば、情報を表す情報信号と電力とが重畳されるバスラインに接続され、該バスラインを流れる電力の供給を受けて電力を貯蔵し、他の装置と電力を共有して使用する電力貯蔵部の電力量を検出する電力量検出ステップと、前記電力量検出ステップの検出結果に応じて、前記電力貯蔵部から電力を供給するサーバモードと、電力を前記バスラインから受電するクライアントモードとを切り替える切り替え制御ステップと、を含む、電力供給方法が提供される。
【発明の効果】
【００１９】
以上説明したように本発明によれば、バスラインに情報を表す情報信号と電力とが重畳される上記電源バスシステムにおいて、各システムの同期タイミングに影響を与えずに複数のシステムを相互に接続することが可能な、新規かつ改良された電力供給装置および電力供給方法を提供することができる。
【図面の簡単な説明】
【００２０】
【図１】本発明の第１の実施形態にかかる電力供給システムの構成について示す説明図である。
【図２】本発明の第１の実施形態にかかる電力供給装置１００ａ、１００ｂの構成について示す説明図である。
【図３】本発明の第１の実施形態にかかる電力供給装置１００ａの動作について示す流れ図である。
【図４】電力供給システムの構成について示す説明図である。
【図５】１つの電力供給システムの構成について示す説明図である。
【図６】バッテリを複数の電力供給システムで共有する場合の構成例について示したものである。
【図７】本発明の第２の実施形態にかかる電力供給装置２００ａ、２００ｂの構成について示す説明図である。
【図８】本発明の第３の実施形態にかかる電力供給装置３００ａの構成について示す説明図である。
【図９】本発明の第４の実施形態にかかる電力供給装置４００の構成について示す説明図である。
【図１０】本発明の第５の実施形態にかかる電力供給装置５００の構成について示す説明図である。
【図１１】本発明の第１の実施形態にかかる電力供給システム１による電力供給処理について説明する説明図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
また、以下の順序に従って本発明の好適な実施の形態について詳細に説明する。
＜１．第１の実施形態＞
［１−１．電力供給システムの構成］
［１−２．電力供給システムによる電力供給処理］
［１−３．電力供給装置の構成］
［１−４．電力供給装置の動作］
＜２．第２の実施形態＞
＜３．第３の実施形態＞
＜４．第４の実施形態＞
＜５．第５の実施形態＞
＜６．まとめ＞
【００２３】
＜１．第１の実施形態＞
［１−１．電力供給システムの構成］
まず、本発明の第１の実施形態にかかる電力供給システムの構成について説明する。図１は、本発明の第１の実施形態にかかる電力供給システムの構成について示す説明図である。以下、図１を用いて本発明の第１の実施形態にかかる電力供給システムの構成について説明する。
【００２４】
図１に示したように、本発明の第１の実施形態にかかる電力供給システムは、２つの電力供給システム１、２から構成される。それぞれの電力供給システムは、１つの電源サーバＳＶ１、ＳＶ２と、クライアントＣＬ１、ＣＬ２、ＣＬ３、ＣＬ４と、を含んで構成される。電源サーバ１００とクライアント２００とは、バスライン１０またはバスライン１１を介して接続されている。
【００２５】
電源サーバＳＶ１、ＳＶ２は、クライアントＣＬ１、ＣＬ２、ＣＬ３、ＣＬ４に対して直流電力を供給するものである。また、電源サーバＳＶ１、ＳＶ２は、クライアントＣＬ１、ＣＬ２、ＣＬ３、ＣＬ４との間で情報信号を送受信する。本実施形態においては、電源サーバＳＶ１、ＳＶ２とクライアントＣＬ１、ＣＬ２、ＣＬ３、ＣＬ４との間の直流電力の供給および情報信号の送受信は、バスライン１０、１１で共用されている。
【００２６】
電源サーバＳＶ１、ＳＶ２は、情報信号の送受信のための通信用モデム、電力の供給を制御するためのマイクロプロセッサ、直流電力の出力を制御するスイッチ等を含んで構成されている。
【００２７】
クライアントＣＬ１、ＣＬ２、ＣＬ３、ＣＬ４は、電源サーバＳＶ１、ＳＶ２から直流電力の供給を受けるものである。また、クライアントＣＬ１、ＣＬ２、ＣＬ３、ＣＬ４は、電源サーバ１００との間で情報信号を送受信する。図１では、１つの電力供給システムあたり２つのクライアントが図示されている。
【００２８】
クライアントＣＬ１、ＣＬ２、ＣＬ３、ＣＬ４は、情報信号の送受信のための通信用モデム、電力の供給を制御するためのマイクロプロセッサ、直流電力の出力を制御するスイッチ等を含んで構成されている。
【００２９】
なお、図１に示した電力供給システム１、２では、それぞれ１つの電源サーバＳＶ１、ＳＶ２と、２つのクライアントＣＬ１、ＣＬ２、ＣＬ３、ＣＬ４と、を図示しているが、本発明においては、電源サーバの数とおよびクライアントの数はかかる例に限定されないことは言うまでも無い。
【００３０】
図１に示した電力供給システム１、２における電力の供給方法については、上記特許文献２（特開２００８−１２３０５１号公報）において説明されているので、ここでは詳細な説明は省略するが、以下において、本発明の第１の実施形態にかかる電力供給システム１による電力供給処理について簡単に説明する。
【００３１】
［１−２．電力供給システムによる電力供給処理］
図１１は、本発明の第１の実施形態にかかる電力供給システム１による電力供給処理について説明する説明図である。以下、図１１を用いて、本発明の上記各実施形態にかかる電力供給システム１による電力供給処理について説明する。
【００３２】
図１１に示したように、電源サーバＳＶ１は、バスライン１０に対して定期的に同期パケットＡ１、Ａ２、Ａ３、・・・を出力する。また、電源サーバＳＶ１は、クライアントＣＬ１、ＣＬ２に電力を供給するために、クライアントＣＬ１、ＣＬ２との間で送受信される情報信号である情報パケットＢ１、Ｂ２、Ｂ３、・・・および電力エネルギーをパケット化した電力パケットＣ１、Ｃ２、Ｃ３、・・・を出力する。一方、クライアントＣＬ１、ＣＬ２は、電源サーバＳＶ１から電力の供給を受けるために、電源サーバＳＶ１との間で送受信される情報信号である情報パケットＤ１、Ｄ２、Ｄ３、・・・を出力する。
【００３３】
電源サーバＳＶ１は、所定の間隔（例えば１秒間隔）のタイムスロットの開始時に、同期パケットＡ１、Ａ２、Ａ３、・・・を出力する。タイムスロットは、情報パケットが送信される情報スロットと、電力パケットが送信される電力スロットとからなる。情報スロットＩＳ１、ＩＳ２、ＩＳ３、・・・は、電源サーバＳＶ１とクライアントＣＬ１、ＣＬ２との間で情報パケットのやり取りが行われる区間である。また電源スロットＰＳ１、ＰＳ２、ＰＳ３、・・・は、電源サーバＳＶ１からクライアントＣＬ１、ＣＬ２へ供給される電力パケットＣ１、Ｃ２、Ｃ３、・・・が出力される区間である。情報パケットは、情報スロットＩＳ１、ＩＳ２、ＩＳ３、・・・の区間においてのみ出力可能なパケットである。従って、１つの情報スロットにおいて情報パケットの送受信が完了しない場合には複数の情報スロットに渡って情報パケットが送信される。一方、電力パケットは、電源スロットＰＳ１、ＰＳ２、ＰＳ３、・・・の区間においてのみ出力可能なパケットである。
【００３４】
電源サーバＳＶ１は、自身が供給可能な電力仕様を示すサーバ電源プロファイルを１または２以上有しており、クライアントＣＬ１、ＣＬ２は、自身の仕様に適合する電力を供給可能な電源サーバＳＶ１から、電力の供給を受けるものとする。このとき、クライアントＣＬ１、ＣＬ２は、電源サーバＳＶ１からサーバ電源プロファイルを取得して、自身に対する電源サーバＳＶ１の仕様（サーバ電源プロファイル）を決定する。このためにまず、クライアントＣＬ１、ＣＬ２は、電源サーバＳＶ１が出力する同期パケットＡ１を検出して、同期パケットＡ１に含まれる電源サーバＳＶ１のアドレスを取得する。アドレスは、例えばＭＡＣアドレスとすることができる。次いで、クライアントＣＬ１、ＣＬ２は、電源サーバＳＶ１に対して、電源サーバＳＶ１が有するサーバ電源プロファイルの数の送信を要求する情報パケットＤ１を送信する。
【００３５】
情報パケットＤ１を受信した電源サーバＳＶ１は、情報パケットＢ１において、電源サーバＳＶ１が有するサーバ電源プロファイルの数であるサーバ電源プロファイル数を送信する。情報パケットＢ１を受信したクライアントＣＬ１、ＣＬ２は、電源サーバＳＶ１のサーバ電源プロファイルの数だけサーバ電源プロファイルの内容を電源サーバＳＶ１から取得する。例えば電源サーバＳＶ１が２つのサーバ電源プロファイルを有する場合、クライアントＣＬ１、ＣＬ２は、まず、１つめのサーバ電源プロファイルを取得する。１つめのサーバ電源プロファイルを取得したクライアントＣＬ１、ＣＬ２は、電源の使用を要求する情報パケットＤ２として電源サーバＳＶ１に送信する。
【００３６】
情報パケットＤ２を受信した電源サーバＳＶ１は、電源サーバＳＶ１の内部に設けられた記憶部（図示せず）に記憶された第１のサーバ電源プロファイルを、情報パケットＢ２としてクライアントＣＬ１、ＣＬ２に送信する。電源サーバＳＶ１から情報パケットＢ２を受信したクライアントＣＬ１、ＣＬ２は、第２のサーバ電源プロファイルを取得するための情報パケットを送信する。しかし、この時点では情報スロットＩＳ１が終了し、電源パケットを送信するための電源スロットＰＳ１が開始している。従って、かかる情報パケットは次の情報スロットＩＳ２において送信される。また、電源スロットＰＳ１においては、クライアントＣＬ１、ＣＬ２が電源サーバＳＶ１から供給を受ける電源仕様が確定していないため、電力の供給は行われない。
【００３７】
電源スロットＰＳ１が終了し、次のタイムスロットの開始を示す同期パケットＡ２が電源サーバＳＶ１から出力される。その後、電源サーバＳＶ１から情報パケットＢ２を受信したクライアントＣＬ１、ＣＬ２は、第２のサーバ電源プロファイルを取得するための情報を情報パケットＤ３として送信する。
【００３８】
情報パケットＤ３を受信した電源サーバＳＶ１は、電源サーバＳＶ１の内部に設けられた記憶部（図示せず）に記憶された第２のサーバ電源プロファイルを、情報パケットＢ３としてクライアントＣＬ１、ＣＬ２に送信する。情報パケットＢ３を受信して電源サーバＳＶ１の有する２つのサーバ電源プロファイルを取得したクライアントＣＬ１、ＣＬ２は、自身に適合する電源仕様のサーバ電源プロファイルを選択する。そして、クライアントＣＬ１、ＣＬ２は、電源サーバＳＶ１に対して選択したサーバ電源プロファイルを確定させるための情報パケットＤ４を送信する。
【００３９】
情報パケットＤ４を受信した電源サーバＳＶ１は、クライアントＣＬ１、ＣＬ２に対して第１のサーバ電源プロファイルを確定したことを通知するため、情報パケットＢ４として電源仕様が確定した旨の応答を表す情報を、クライアントＣＬ１、ＣＬ２に送信する。その後、情報スロットＩＳ２が終了して電源スロットＰＳ２が開始すると、電源サーバＳＶ１はクライアントＣＬ１、ＣＬ２に対して電源パケットＣ１を出力し、電源供給を行う。なお、電力パケットの送信のタイミングについては、送信開始時間設定リクエストを表す情報を用いることにより、電力供給開始時間をクライアントＣＬ１、ＣＬ２から電源サーバＳＶ１に指定することができる。
【００４０】
以上、本発明の上記各実施形態にかかる電力供給システム１による電力供給処理について説明した。
【００４１】
この図１に示した２つの電力供給システム１、２は、それぞれ独立して電力の供給が行われている。従って、この２つの電力供給システム１、２をいきなり接続すると、電源サーバＳＶ１、ＳＶ２とクライアントＣＬ１、ＣＬ２、ＣＬ３、ＣＬ４との間の同期を取ることが出来なくなってしまう。
【００４２】
そこで本実施形態においては、１つの電力貯蔵素子を共有する２つの電力供給装置によって２つの電力供給システム１、２を接続する。かかる電力供給装置によって、情報としては２つの電力供給システム１、２を分離し、電力としては２つの電力供給システム１、２を接続する構成とすることができる。
【００４３】
以下において、本発明の第１の実施形態にかかる電力供給装置の構成について説明する。
【００４４】
［１−３．電力供給装置の構成］
図２は、本発明の第１の実施形態にかかる電力供給装置１００ａ、１００ｂの構成について示す説明図である。以下、図２を用いて本発明の第１の実施形態にかかる電力供給装置１００ａ、１００ｂの構成について説明する。
【００４５】
図２に示した電力供給装置１００ａ、１００ｂは、バッテリ１４０を共有している。バッテリ１４０としては、例えばリチウム異音電池、リチウムイオンキャパシタ、電気二重層キャパシタその他の電力貯蔵素子であってもよい。なお、バッテリ１４０は、電力供給装置１００ａ、１００ｂと着脱可能な構成であってもよい。
【００４６】
図２に示したように、電力供給装置１００ａは、充電回路１１０ａと、マイクロプロセッサ（μＰ）１２０ａと、モデム１３０ａと、スイッチＳ１１、Ｓ１２と、インダクタＬ１と、ダイオードＤ１１と、キャパシタＣ１と、を含んで構成される。同様に、電力供給装置１００ｂは、充電回路１１０ｂと、マイクロプロセッサ１２０ｂと、モデム１３０ｂと、スイッチＳ１１、Ｓ１２と、インダクタＬ１と、ダイオードＤ１１と、キャパシタＣ１と、を含んで構成される。
【００４７】
充電回路１１０ａは、バスライン１０を介して供給される電力を用いてバッテリ１４０を充電するためのものである。充電回路１１０ａへの電力供給はスイッチＳ１１のスイッチングによって制御される。またインダクタＬ１は、バッテリ１４０がバスライン１０を流れる通信用高周波信号に対して低インピーダンスとなるのを防ぐための遮断用インダクタである。そして、ダイオードＤ１１は、バッテリ１４０への充電経路とバッテリ１４０からの放電経路とを分離するためのダイオードである。
【００４８】
マイクロプロセッサ１２０ａは、バッテリ１４０の電圧値に応じてスイッチＳ１１、Ｓ１２のスイッチングを制御するとともに、モデム１３０ａに対して、モデム１３０ａからの情報の送信を制御するものである。マイクロプロセッサ１２０ａには、バスライン１０に接続されている電源サーバやクライアントにダイナミックに接続、または切断可能とするために、通信に必要となるプロトコルが実装されている。そして、電力供給装置１００ａがバスライン１０に接続されたときは、電力供給装置１００ａのアドレスが、電力供給システム１に存在する同期サーバにより管理される。なお、電力供給システム１における同期サーバの機能は、一の電源サーバが担うようにしてもよく、電力を供給する電源サーバとは別のサーバが担うようにしてもよい。同期サーバの機能については特許文献２に記載されているのでここでは詳細な説明は省略する。そして、電力供給装置１００ａのアドレスが同期サーバにより管理されることで、電力供給装置１００ａは、電源サーバまたはクライアントのいずれかとして振舞うことが可能となる。
【００４９】
電力供給装置１００ａが電源サーバとして振舞うか、クライアントとして振舞うかは、バッテリ１４０の電力（電圧レベル）によって決まる。マイクロプロセッサ１２０ａは、バッテリ１４０の電圧を検出用ラインＶ＿ｓｅｎｃｅによってモニタし、設定値以上であれば（または設定値を上回っていれば）電力供給装置１００ａを電源サーバとして動作させる。一方、バッテリ１４０の電圧が設定値未満であれば（または設定値以下であれば）電力供給装置１００ａをクライアントとして動作させる。電力供給装置１００ａを電源サーバとして動作させる際には、バスライン１０に接続されている他の電源サーバやクライアントに対し、モデム１３０ａを用いて、自らが供給可能な電力情報を通知することが可能となる。一方、電力供給装置１００ａをクライアントとして動作させる際には、電力供給装置１００ａは、他の電源サーバからの電力供給を受けるために、モデム１３０ａからバスライン１０へネゴシエート処理のための情報を出力する。そして電源サーバからの電力供給が可能になると当該電源サーバから電力を供給し、可能であれば、受電した電力をバッテリ１４０の充電に用いてもよい。なお、電源サーバとクライアントとの間のネゴシエート処理については、上記特許文献２（特開２００８−１２３０５１号公報）に記載されているので、ここでは詳細な説明は省略する。また、ネゴシエート処理のための情報は、上記特許文献２に記載されているものを用いることができるが、本発明においては、当該情報はかかる例に限定されるものではないことは言うまでも無い。
【００５０】
モデム１３０ａは、バスライン１０に接続されている他の電源サーバやクライアントとの間で情報の送受信を行うためのものであり、モデム１３０ａからはバスライン１０に通信用高周波信号を送出し、またバスライン１０に流れる通信用高周波信号を受信する。バスライン１０とモデム１３０ａとの間にはキャパシタＣ１が備えられており、バスライン１０を流れる直流電流のモデム１３０ａへの流入を防いでいる。
【００５１】
上述したように、電力供給装置１００ａは、電源サーバとして振舞う電源サーバモードと、クライアントとして振舞うクライアントモードの２つのモードを有している。電力供給装置１００ａが電源サーバモードとして動作する場合には、マイクロプロセッサ１２０ａによってスイッチＳ１２が閉じられ、充電回路１１０ａによるバッテリ１４０の充電は行われない。従って、電源サーバモードとして動作する場合の電力供給装置１００ａはバッテリ１４０である。なお、電力供給装置１００ａが電源サーバモードとして動作している場合に、電力供給装置１００ｂがクライアントモードとして動作していても良い。電力供給装置１００ａが電源サーバモードとして動作している場合に、電力供給装置１００ｂがクライアントモードとして動作することで、バッテリ１４０からバスライン１０へ電力を出力しながら、バッテリ１４０を充電することができる。
【００５２】
以上、本発明の第１の実施形態にかかる電力供給装置１００ａ、１００ｂの構成について説明した。次に、本発明の第１の実施形態にかかる電力供給装置１００ａ、１００ｂの動作について説明する。
【００５３】
［１−４．電力供給装置の動作］
図３は、本発明の第１の実施形態にかかる電力供給装置１００ａの動作について示す流れ図である。以下、図３を用いて本発明の第１の実施形態にかかる電力供給装置１００ａの動作について説明する。なお、ここでは本発明の第１の実施形態にかかる電力供給装置１００ａの動作について説明するが、電力供給装置１００ｂについても同様に操作することは言うまでも無い。
【００５４】
電力供給装置１００ａがバスライン１０に接続されておらず、バッテリ１４０に接続されている状態では、バッテリ１４０の電圧値をマイクロプロセッサ１２０ａで取得する。そして、マイクロプロセッサ１２０ａは、取得したバッテリ１４０の電圧値が、所定の電圧値以上であるかどうかを判断する（ステップＳ１０１）。ステップＳ１０１での判断の結果、バッテリ１４０の電圧値が、所定の電圧値以上であった場合には、マイクロプロセッサ１２０ａは電力供給装置１００ａの動作モードをサーバモードに設定する。そしてマイクロプロセッサ１２０ａは、以後は電力供給装置１００ａをサーバモードで動作させる（ステップＳ１０２）。
【００５５】
電力供給装置１００ａがサーバモードとしての動作を開始すると、マイクロプロセッサ１２０ａによってスイッチＳ１１、Ｓ１２が共に閉じられ、バッテリ１４０に蓄積されている電力の供給が可能な状態となる。そして、電力供給装置１００ａは、バスライン１０に存在する同期サーバに対して、電源サーバとして登録するよう要求する（ステップＳ１０３）。電力供給装置１００ａを同期サーバに電源サーバとして登録させるためには、電力供給装置１００ａは、自己を電源サーバとしての登録を要求する旨のメッセージをモデム１３０ａで生成し、電力供給装置１００ａからブロードキャスト送信する。当該メッセージを同期サーバで受信すると同期サーバは電力供給装置１００ａを電源サーバとして登録することが出来る。
【００５６】
バスライン１０には、電源サーバが追加されたこと、または削除されたことを示すメッセージがブロードキャストされる。従って、バスライン１０に接続されているクライアントの中で電力を要求するものがあれば、当該クライアントは電源サーバとして同期サーバに登録された電力供給装置１００ａに対してネゴシエートを開始してもよい。このネゴシエートが成功すれば、電力供給装置１００ａは、ネゴシエートを要求した当該クライアントに対して、バスライン１０を通じてバッテリ１４０に蓄積されている電力を供給することができる（ステップＳ１０４）。
【００５７】
バッテリ１４０に蓄積されている電力をバスライン１０へ出力し続けると、電力供給装置１００ｂがクライアントモードで動作していない場合など、外部からの電力がバッテリ１４０に供給されなければ、やがてバッテリ１４０の電圧が低下する。そして、マイクロプロセッサ１２０ａで再度上記ステップＳ１０１の判断を行い、ステップＳ１０１での判断の結果、バッテリ１４０の電圧値が所定の電圧値未満であった場合には、マイクロプロセッサ１２０ａは電力供給装置１００ａの動作モードをクライアントモードに設定する。そしてマイクロプロセッサ１２０ａは、以後は電力供給装置１００ａをクライアントモードで動作させる（ステップＳ１０５）。
【００５８】
電力供給装置１００ａをクライアントモードで動作させる際には、電力供給装置１００ａは、まず同期サーバに対するサーバ離脱要求をモデム１３０ａから出力する。そして同期サーバからサーバ離脱応答を受信すると、電力供給装置１００ａは自らをバスライン１０から一端（論理的に）切り離す。続いて電力供給装置１００ａは、マイクロプロセッサ１２０ａによってスイッチＳ１２が開放され、充電回路１１０ａによるバッテリ１４０の充電が可能な状態となる。そして、電力供給装置１００ａは、バスライン１０に存在する同期サーバに対して、クライアントとしての登録を要求する（ステップＳ１０６）。電力供給装置１００ａを同期サーバにクライアントとして登録させるためには、電力供給装置１００ａは、自己をクライアントとしての登録を要求する旨のメッセージをモデム１３０ａで生成し、電力供給装置１００ａからブロードキャスト送信する。当該メッセージを同期サーバで受信すると同期サーバは電力供給装置１００ａをクライアントとして登録することが出来る。
【００５９】
電力供給装置１００ａが同期サーバにクライアントとして登録されると、電力供給装置１００ａは、バスライン１０に接続されている電源サーバに対するネゴシエート処理を開始する。バスライン１０に接続されている電源サーバとのネゴシエートが成功すると、電力供給装置１００ａは当該電源サーバから電力の供給を受ける（ステップＳ１０７）。電力供給装置１００ａは、バスライン１０に接続されている電源サーバから電力の供給を受けることで、その電力の一部または全部をバッテリ１４０の充電に利用することができる。バッテリ１４０を充電する際には、マイクロプロセッサ１２０ａによってスイッチＳ１２がオープンとなり、またバッテリ１４０が接続されているラインには通信用高周波信号は出力されず、バッテリ１４０のための適当な電力のみが存在することになる。
【００６０】
バッテリ１４０が充電されるとバッテリ１４０の電圧が上昇する。そして、バッテリ１４０の電圧が所定の電圧値以上になれば、電力供給装置１００ａは再びサーバモードとして動作することが可能となり、電力供給装置１００ａはバッテリ１４０に蓄えられた電力をバスライン１０へ供給することができる。
【００６１】
以上、本発明の第１の実施形態にかかる電力供給装置１００ａ、１００ｂの動作について説明した。上述のように、電力供給装置１００ａ、１００ｂは、バッテリ１４０の電圧値によって、サーバモードで動作するか、クライアントモードで動作するかが決まる。従って、バッテリ１４０の電圧が所定の電圧値以上であれば電力供給装置１００ａ、１００ｂはいずれもサーバモードで動作し、バッテリ１４０の電圧が所定の電圧値未満であれば電力供給装置１００ａ、１００ｂはいずれもクライアントモードで動作する。よって、電力供給装置１００ａ、１００ｂは電力的にはバッテリ１４０を介して接続され、通信的にはバッテリ１４０によって分離されている。このように電力供給装置１００ａ、１００ｂの動作を制御することで、異なる電力供給システム間を、それぞれのシステムにおける同期タイミングに影響を与えることなく、相互に接続することが可能となる。
【００６２】
なお、上述した説明においては、電力供給装置１００ａは、１つのアドレスを用いて、サーバまたはクライアントとして交互に電力供給システムに加入する場合について説明したが、本発明はかかる例に限定されない。電力供給装置１００ａは、予めサーバ用とクライアント用とで別のアドレスを有し、システムへの加入の際にはサーバ及びクライアントの両方を同期サーバに登録するようにしてもよい。
【００６３】
以下、電力供給装置１００ａの場合を例に挙げて説明する。電力供給装置１００ａは予めサーバ用とクライアント用とで別のアドレスを有している。従って、電力供給装置１００ａにバッテリ１４０が接続されているか否かに関わらず、電力供給装置１００ａがバスライン１０に接続された時点で、電力供給システム１の同期サーバには、新たに電源サーバが１台、クライアントが１台追加される。
【００６４】
ここで、電力供給装置１００ａを同期サーバに電源サーバとして登録する際のプロファイルは、バッテリ１４０の電圧値を検出するラインＶ＿ｓｅｎｃｅの情報を反映させたものである。バッテリ１４０の電圧値を検出した結果、電圧値が所定の値以下（または所定の値未満）であった場合には、電力供給装置１００ａは出力電圧値のプロファイルを０として同期サーバに登録する。出力電圧値のプロファイルを０として同期サーバに登録することで、仮に電力供給装置１００ａに対して他のクライアントから電力供給のネゴシエーションがあっても、電力供給装置１００ａからは電力の供給が出来ないので、当該ネゴシエーションは失敗に終わる。
【００６５】
なお、電力供給装置１００ａが予めサーバ用とクライアント用とで別のアドレスを有している場合には、電力供給装置１００ａはバッテリ１４０の状態をモニタして、１つのアドレスをサーバ用またはクライアント用として切り替えて使用するわけでは無い。従って、この場合には、電力供給装置１００ａは、自身は同期サーバにはならないような設定としておくことが望ましい。つまり、電力供給装置１００ａは既に同期サーバが存在している電力供給システムに加入するための装置とすることが望ましい。これは、電力供給装置１００ａが予めサーバ用とクライアント用とで別のアドレスを有していることで、自分自身で同期サーバ及びクライアントとしてシステム構築を完了してしまうことを防ぐためである。また、電力供給装置１００ａ自身が同期サーバになってしまっていると、既に同期サーバが存在している既存の電力供給システムに加入する際に不都合が生じるからである。
【００６６】
バッテリ１４０の電圧値を検出した結果、電圧値が所定の値以下（または所定の値未満）であった場合には、電力供給装置１００ａは、サーバとして電力供給能力がないので、サーバとしての電力供給システムへの加入が失敗する。一方、電力供給装置１００ａはクライアントとしては電力供給システムへ加入することができ、クライアントとしての電力供給システムへの加入が成功すれば、電源サーバから電力の供給を受けることが出来る。
【００６７】
なお電力供給装置１００ａは、アドレスとしてはサーバ用とクライアント用とで別のアドレスを有しているが、物理的には電源サーバとしての動作とクライアントとしての動作の同時実行を制限することが望ましい。アドレスとしてはサーバ用とクライアント用とで別のアドレスを有しておくことで、電源サーバからクライアントへの切り替え時、またはその逆のクライアントから電源サーバへの切り替え時に、電力供給システムからの一時離脱及び再加入を行う必要が無くなる。従って、同一のアドレスによってサーバモードとクライアントモードとを切り替える場合と比較して、電力供給システムからの一時離脱処理及び再加入処理が単純となる。
【００６８】
また上記の説明においては、電力供給装置１００ａは、バッテリ１４０の状態に関わらず、電力供給システムへの加入の際に、同期サーバには自らを電源サーバとして最初から登録したが、本発明はかかる例に限定されない。例えばバッテリ１４０の電圧が所定値以上となるまでは、電力供給装置１００ａは同期サーバには電源サーバとして登録せず、バッテリ１４０が充電され、バッテリ１４０の電圧が所定値以上となって初めて同期サーバに電源サーバとして登録するようにしてもよい。このように電力供給装置１００ａを動作させることで、バッテリ１４０の電圧が所定値に達していない場合に、他のクライアントからの電力供給に関する不要なネゴシエーションの発生を防ぐことが出来る。
【００６９】
なお、電力供給装置１００ａ、１００ｂがサーバ用とクライアント用とで別のアドレスを有する場合において、電力供給装置１００ａ、１００ｂがサーバモードで動作するときに、バッテリ１４０の電圧値が所定の値より低くなると論理的にバスライン１０、１１から離脱するようにしてもよい。すなわち、バッテリ１４０の電圧値が所定の値より低くなると、電力供給装置１００ａ、１００ｂは同期サーバから電源サーバのアドレスを抹消するように同期サーバに要求してもよい。そして、電力供給装置１００ａ、１００ｂがサーバモードで動作する場合に論理的にバスライン１０、１１から離脱した後に、バッテリ１４０の電圧が回復すると、電力供給装置１００ａ、１００ｂは同期サーバに電源サーバのアドレスを登録するように同期サーバに再度要求してもよい。
【００７０】
以上の説明は、２つの電力供給装置が１つのバッテリを介してエネルギーを共有する場合についてのものであり、例えば図４に示したような構成を有することによる電力供給システムの拡張例についてのものである。図４において、ＢＵＳｎ、ＢＵＳｋはバスラインを示しており、ＳＬｎ、ＳＬｍ、ＳＬｏ、ＳＬｐは、それぞれ他の電力供給装置とバッテリの共有が可能な構成を有する電力供給装置を示しており、ＢＡＴはバッテリを示している。またＨ１、Ｈ２は、それぞれバッテリと電力供給装置とを接続するための端子を表している。
【００７１】
ここで、図４に示したＢＵＳｎ、ＳＬｍ、ＳＬｎを１つの電力供給システムとみなしてＳＹＳｎとすると、ＳＹＳｎは図５に示したような構成を有することになる。すると、バッテリＢＡＴはスター状に接続することも可能であるので、図６に示したような構成を有することも可能である。図６は、バッテリＢＡＴを複数の電力供給システムで共有する場合の構成例について示したものである。図６のＳＹＳ０〜ＳＹＳ５は、それぞれ電力供給システムを１つのブロックとして示したものであり、ＢＡＴ０〜ＢＡＴ３はそれぞれバッテリを示している。図６に示した構成例においても、情報としてはそれぞれの電力供給システムの内部で閉じており、エネルギーとしてはＢＡＴ０〜ＢＡＴ３を介してそれぞれ共有している。このような構成を有することにより、各電力供給システムの内部の情報のやり取りを小電力の通信装置（モデム）でのみカバーするとともに、システム全体としては情報をルーティングしない構造を有することになる。
【００７２】
＜２．第２の実施形態＞
上述した本発明の第１の実施形態では、１つのバッテリを複数の電力供給装置で共有することで、複数の電力供給システムを情報的には接続せず、エネルギー的に接続する構成を有する電力供給装置及び電力供給システムについて説明した。かかる電力供給装置では、バッテリを共有する電力供給装置の内、どの電力供給装置がバッテリを提供すべきか、という問題が生じる。ここで、以下で説明する本発明の第２の実施形態では、各電力供給装置は全てバッテリを含み、かかる電力供給装置を接続することで、複数の電力供給システムを情報的には接続せず、エネルギー的に接続することができる電力供給装置及び電力供給システムについて説明する。
【００７３】
図７は、本発明の第２の実施形態にかかる電力供給装置２００ａ、２００ｂの構成について示す説明図である。以下、図７を用いて本発明の第２の実施形態にかかる電力供給装置２００ａ、２００ｂの構成について説明する。
【００７４】
図７に示したように、本発明の第２の実施形態にかかる電力供給装置２００ａは、充電回路２１０ａと、マイクロプロセッサ（μＰ）２２０ａと、モデム２３０ａと、バッテリ２４０ａと、スイッチＳ１１、Ｓ１２と、インダクタＬ１と、ダイオードＤ１１と、キャパシタＣ１と、を含んで構成される。同様に、電力供給装置２００ｂは、充電回路２１０ｂと、マイクロプロセッサ２２０ｂと、モデム２３０ｂと、バッテリ２４０ｂと、スイッチＳ２１、Ｓ２２と、インダクタＬ２と、ダイオードＤ２１と、キャパシタＣ２と、を含んで構成される。
【００７５】
充電回路２１０ａ、マイクロプロセッサ２２０ａ及びモデム２３０ａは、図２に示した充電回路１１０ａ、マイクロプロセッサ１２０ａ及びモデム１３０ａと同様の機能を有する。すなわち、充電回路２１０ａは、バスライン１０を介して電源サーバから供給される電力を利用して、バッテリ２４０ａを充電する。マイクロプロセッサ２２０ａは、スイッチＳ１１、Ｓ１２のスイッチングを制御する。そしてモデム２３０ａはバスライン１０に接続されている他の電源サーバやクライアントとの間で情報の送受信を行うためのものである。
【００７６】
電力供給装置２００ａ、２００ｂを接続する際には、ＧＮＤはＧＮＤ同士で接続されるが、電力供給装置２００ａのＶ０端子は電力供給装置２００ｂのＶ１端子と、電力供給装置２００ａのＶ１端子は電力供給装置２００ｂのＶ０端子と、それぞれ接続される。電力供給装置２００ａ、２００ｂを３線で接続することにより、隣接する電力供給システム同士の同期関係を一切考慮せずに、２つの電力供給システムを接続することができる。また、電力供給装置２００ａ、２００ｂがこのように接続されることで、電力供給装置２００ａは、バスライン１０から電力の供給を受けてバッテリ２４０ａを充電することができる。そして、電力供給装置２００ａは、バッテリ２４０ａに蓄えた電力を、電力供給装置２００ｂを介してバスライン１１に供給することができる。同様に、電力供給装置２００ｂは、バスライン１１から電力の供給を受けてバッテリ２４０ｂを充電し、バッテリ２４０ｂに蓄えた電力を、電力供給装置２００ａを介してバスライン１０に供給することができる。
【００７７】
なお、電力供給装置２００ａ、２００ｂは、上述した本発明の第１の実施形態と同様に、サーバ用のアドレスとクライアント用のアドレスとを共用してもよく、サーバ用のアドレスとクライアント用のアドレスとを別のものにしてもよい。そして、サーバ用のアドレスとクライアント用のアドレスとを別のものにする場合には、上述した本発明の第１の実施形態と同様に、電力供給装置２００ａ、２００ｂをバスライン１０、１１にそれぞれ接続する際に、サーバ用のアドレス及びクライアント用のアドレスを共に同期サーバに登録するための情報を送出してもよい。また、サーバ用のアドレスとクライアント用のアドレスとを別のものにする場合に、サーバモードからクライアントモードへ切り替える際には、サーバ用のアドレスの登録を同期サーバから抹消するための情報を送出してもよい。
【００７８】
また、図７に示した電力供給装置２００ａは、バスライン１０から電力の供給を受けてバッテリ２４０ａを充電し、バッテリ２４０ａに蓄えた電力を、電力供給装置２００ｂを介してバスライン１１に供給する構成としているが、本発明はかかる例に限定されない。すなわち、バッテリを内蔵する電力供給装置は、エネルギー的に接続されている隣接する電力供給システムから電力の供給を受けてバッテリを充電し、バッテリの電力を自らが直接接続している電力供給システムに供給するような構成を有していてもよい。
【００７９】
図７に示したように電力供給装置２００ａ、２００ｂを接続すると、バッテリ２４０ａ、２４０ｂから出力した電力量は、それぞれマイクロプロセッサ２２０ａ、２２０ｂで把握することが出来る。バッテリ２４０ａ、２４０ｂの電圧は、それぞれラインＶ＿ｓｅｎｃｅで検出することが可能だからである。従って、マイクロプロセッサ２２０ａ、２２０ｂで把握した電力量を利用して、接続先の電力供給システムへ出力した電力量に応じた決済を行うことが出来る。なお、決済を行うための情報の授受は、図７に示した構成に加えて、電力供給装置２００ａ、２００ｂとの間で別途設ける通信経路を介して行うことが望ましい。
【００８０】
＜３．第３の実施形態＞
上述した第２の実施形態では、各電力供給装置は全てバッテリを含み、かかる電力供給装置を接続することで、複数の電力供給システムを情報的には接続せず、エネルギー的に接続することができる電力供給装置及び電力供給システムについて説明した。図７に示した電力供給装置２００ａ、２００ｂは、バッテリ２４０ａ、２４０ｂに蓄えられた電力を相互に供給し合うことが可能であるが、その供給した電力の情報をお互い相手側に通知する手段を備えていない。本発明の第３の実施形態では、図７に示した電力供給装置２００ａ、２００ｂに、供給した電力の情報を相手に通知する手段を付加した、電力供給装置について説明する。
【００８１】
図８は、本発明の第３の実施形態にかかる電力供給装置３００ａの構成について示す説明図である。以下、図８を用いて本発明の第３の実施形態にかかる電力供給装置３００ａの構成について説明する。
【００８２】
図８に示したように、本発明の第３の実施形態にかかる電力供給装置３００ａは、充電回路３１０ａと、マイクロプロセッサ（μＰ）３２０ａと、モデム３３０ａ、３３２ａと、バッテリ３４０ａと、スイッチＳ１１、Ｓ１２と、インダクタＬ１と、ダイオードＤ１１と、キャパシタＣ１、Ｃ１１、Ｃ１２と、を含んで構成される。図８に示した電力供給装置３００ａは、図７に示した電力供給装置２００ａに、モデム３３２ａ及びキャパシタＣ１１、Ｃ１２を追加したものである。
【００８３】
モデム３３２ａは、マイクロプロセッサ３２０ａからバッテリ３４０ａの消費電力量の情報を受け取り、消費電力量の情報が含まれた高周波信号を生成するものである。モデム３３２ａで生成された高周波信号はキャパシタＣ１１、Ｃ１２を通過して、相手側の電力供給装置（図８には図示せず）に伝送される。なお、電力供給装置３００ａから、バスライン１０に向けて送出する同期信号その他の電力供給システム１向けの信号が、隣接する電力供給システムに伝達されることが無いようにするために、マイクロプロセッサ３２０ａは、消費電力量の伝達に必要な情報のみを選択して、当該選択された情報をモデム３３２ａから送出するようにしてもよい。また、電力供給装置３００ａは、上述した本発明の第１の実施形態と同様に、サーバ用のアドレスとクライアント用のアドレスとを共用してもよく、サーバ用のアドレスとクライアント用のアドレスとを別々のものにしてもよい。そして、サーバ用のアドレスとクライアント用のアドレスとを別のものにする場合には、上述した本発明の第１の実施形態と同様に、電力供給装置３００ａをバスライン１０にそれぞれ接続する際に、サーバ用のアドレス及びクライアント用のアドレスを共に同期サーバに登録するための情報を送出してもよい。また、サーバ用のアドレスとクライアント用のアドレスとを別のものにする場合に、サーバモードからクライアントモードへ切り替える際には、サーバ用のアドレスの登録を同期サーバから抹消するための情報を送出してもよい。
【００８４】
＜４．第４の実施形態＞
上述した本発明の第１の実施形態〜第３の実施形態では、１つのバッテリを複数の電力供給装置で共有することで、また、バッテリを備える電力供給装置同士を接続することで、電力供給システム間でエネルギーを供給しあう電力供給装置及び電力供給システムについて説明した。本発明の第４の実施形態では、１つの筐体によって電力供給システム間でエネルギーを供給しあう電力供給装置及び電力供給システムについて説明する。
【００８５】
図９は、本発明の第４の実施形態にかかる電力供給装置４００の構成について示す説明図である。以下、図９を用いて本発明の第４の実施形態にかかる電力供給装置４００の構成について説明する。
【００８６】
図９に示したように、本発明の第４の実施形態にかかる電力供給装置４００は、充電回路４１０と、マイクロプロセッサ（μＰ）４２０と、モデム４３０、４３２と、バッテリ４４０と、スイッチＳ１、Ｓ２と、インダクタＬ１、Ｌ２と、ダイオードＤ１、Ｄ２と、キャパシタＣ１、Ｃ２と、を含んで構成される。
【００８７】
図９に示した電力供給装置４００は、バスライン１０から電力を受電してバッテリ４４０を充電するクライアント機能と、バッテリ４４０に蓄えられた電力をバスライン１０、１１に出力する電源サーバ機能とを有している。すなわち、バスライン１０側の電力供給システム１においては、電力供給装置４００はクライアントとしての機能と電源サーバとしての機能とを共用するデバイスとなる。一方、バスライン１１側の電力供給システム２においては、電力供給装置４００は電源サーバとしての機能としての機能のみを有するデバイスとなる。バスライン１０、１１は、モデム４３０、４３２によって情報的には分離されている。バスライン１０、１１に出力される高周波信号は、マイクロプロセッサ４２０の制御により、それぞれモデム４３０、４３２で生成される。バスライン１０を流れて電力供給装置４００に伝送される高周波信号は、インダクタＬ１によって遮断されるので、バスライン１１に流れることは無い。同様に、バスライン１１を流れて電力供給装置４００に伝送される高周波信号は、インダクタＬ２によって遮断されるので、バスライン１０に流れることは無い。
【００８８】
バスライン１０側の電力供給システム１に対する電力供給装置４００の動作は、上述した本発明の第１の実施形態にかかる電力供給装置１００ａ、１００ｂの動作と同様である。すなわち、電力供給装置４００は、バスライン１０側の電力供給システム１に対しては、バッテリ４４０の電圧に応じて、電源サーバとして動作するか、クライアントとして動作するかを決定する。一方、バスライン１１側の電力供給システム２に対しては、バッテリ４４０の電圧に応じて電源サーバの機能を開始するか、電源サーバの機能を停止するかを決定する。すなわち、バッテリ４４０の電圧が所定の電圧以上であれば（または所定の電圧を上回っていれば）、予め設定した電力プロファイルを公開し、バスライン１１に接続されているクライアントとネゴシエーション処理を実行する。ネゴシエーションが成功すると、バスライン１１に接続されているクライアントからの要求に応じ、電力供給装置４００はバッテリ４４０に蓄えられている電力を、バスライン１１に接続されているクライアントに供給する。なお、電力供給装置４００は、上述した本発明の第１の実施形態と同様に、サーバ用のアドレスとクライアント用のアドレスとを共用してもよく、サーバ用のアドレスとクライアント用のアドレスとを別々のものにしてもよい。そして、サーバ用のアドレスとクライアント用のアドレスとを別のものにする場合には、上述した本発明の第１の実施形態と同様に、電力供給装置４００をバスライン１０、１１にそれぞれ接続する際に、サーバ用のアドレス及びクライアント用のアドレスを共に同期サーバに登録するための情報を送出してもよい。また、サーバ用のアドレスとクライアント用のアドレスとを別のものにする場合に、サーバモードからクライアントモードへ切り替える際には、サーバ用のアドレスの登録を同期サーバから抹消するための情報を送出してもよい。
【００８９】
＜５．第５の実施形態＞
上述した本発明の第４の実施形態では、１つの筐体によって電力供給システム間でエネルギーを供給しあう電力供給装置及び電力供給システムについて説明した。本発明の第５の実施形態では、別々のマイクロプロセッサによってスイッチングや高周波信号の生成を制御する電力供給装置及び電力供給システムについて説明する。
【００９０】
図１０は、本発明の第５の実施形態にかかる電力供給装置５００の構成について示す説明図である。以下、図１０を用いて本発明の第４の実施形態にかかる電力供給装置５００の構成について説明する。
図１０に示したように、本発明の第５の実施形態にかかる電力供給装置５００は、充電回路５１０と、マイクロプロセッサ（μＰ）５２０、５２２と、モデム５３０、５３２と、バッテリ５４０と、スイッチＳ１、Ｓ２と、インダクタＬ１、Ｌ２と、ダイオードＤ１、Ｄ２と、キャパシタＣ１、Ｃ２と、を含んで構成される。
【００９１】
図１０に示した電力供給装置５００が、図９に示した電力供給装置４００と異なるのは、マイクロプロセッサ５２２が追加されている点である。マイクロプロセッサ５２２は、モデム５３２に対して高周波信号の生成を制御するものである。マイクロプロセッサ５２２は、バッテリ５４０の電圧を検出し、バッテリ５４０の電圧が所定の電圧以上であれば（または所定の電圧を上回っていれば）、モデム５３２に対して予め設定した電力プロファイルを公開するための高周波信号を生成するよう制御する。そしてマイクロプロセッサ５２２は、生成した高周波信号をブロードキャスト送信することで、バスライン１１に接続されているクライアントとネゴシエーション処理を実行する。ネゴシエーションが成功すると、バスライン１１に接続されているクライアントからの要求に応じ、電力供給装置５００はバッテリ５４０に蓄えられている電力を、バスライン１１に接続されているクライアントに供給する。なお、電力供給装置５００は、上述した本発明の第１の実施形態と同様に、サーバ用のアドレスとクライアント用のアドレスとを共用してもよく、サーバ用のアドレスとクライアント用のアドレスとを別々のものにしてもよい。そして、サーバ用のアドレスとクライアント用のアドレスとを別のものにする場合には、上述した本発明の第１の実施形態と同様に、電力供給装置５００をバスライン１０、１１にそれぞれ接続する際に、サーバ用のアドレス及びクライアント用のアドレスを共に同期サーバに登録するための情報を送出してもよい。また、サーバ用のアドレスとクライアント用のアドレスとを別のものにする場合に、サーバモードからクライアントモードへ切り替える際には、サーバ用のアドレスの登録を同期サーバから抹消するための情報を送出してもよい。
【００９２】
なお、マイクロプロセッサ５２０と同一のプログラムがマイクロプロセッサ５２２に記録されていても良い。マイクロプロセッサ５２２に、マイクロプロセッサ５２０と同一のプログラムを記録しておくことで電力供給装置５００の製造工程を簡略化できる。
【００９３】
＜６．まとめ＞
以上説明したように、上記各実施形態にかかる電力供給装置は、バッテリを介して複数の電力供給システムを電力的に接続する。また上記各実施形態にかかる電力供給装置は、内部に高周波信号を遮断する機構を備えることで、情報的には遮断しつつ、複数の電力供給システムを電力的に容易に接続することができる。
【００９４】
このように、上記各実施形態にかかる電力供給装置によって電力供給システムを電力的に接続することで、各電力供給システムの電力供給タイミングに影響を与えることなく、電力供給システムを自由に拡張することができる。電力供給システムを電力的に接続することが可能となることで、各々の電力供給システムでの電力供給のサービスレベルを著しく向上させ、また電力供給システムの系統連携を実現することが可能となる。
【００９５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００９６】
本発明は、電力供給装置および電力供給方法に適用可能であり、特にバスラインに電力と情報とを重畳させることで電力を供給する電力供給装置および電力供給方法に適用可能である。
【符号の説明】
【００９７】
１、２    電力供給システム
１０、１１    バスライン
１００ａ、１００ｂ、２００ａ、２００ｂ、３００ａ、４００、５００    電力供給装置
１１０ａ、１１０ｂ、２１０ａ、２１０ｂ、３１０ａ、４１０、５１０    充電回路
１２０ａ、１２０ｂ、２２０ａ、２２０ｂ、３２０ａ、４２０、５２０、５２２    マイクロプロセッサ
１３０ａ、１３０ｂ、２３０ａ、２３０ｂ、３３０ａ、３３２ａ、４３０、５３０、５３２    モデム
１４０、２４０ａ、２４０ｂ、３４０ａ、４４０、５４０    バッテリ
【図１】
2010263680.tif 000003
【図２】
2010263680.tif 000004
【図３】
2010263680.tif 000005
【図４】
2010263680.tif 000006
【図５】
2010263680.tif 000007
【図６】
2010263680.tif 000008
【図７】
2010263680.tif 000009
【図８】
2010263680.tif 000010
【図９】
2010263680.tif 000011
【図１０】
2010263680.tif 000012
【図１１】
2010263680.tif 000013